(57)【要約】【課題】ユーザが、何気なく視聴している番組から他の番組へ視聴チャンネルを切り換えた後に、当初何気なく視聴していた番組に視聴チャンネルを戻した際に大切なシーンを見逃してしまっていた場合などに、他の番組の視聴期間であっても何気なく視聴していた番組を継続してキャッシュ録画する。【解決手段】２つのチューナのうちの一方のチューナ１で、ユーザが指示するチャンネルを受信する。ユーザの視聴履歴に基づくチャンネル優先度情報を参照し、ユーザが視聴しているチャンネルが他のチャンネルと比較して最優先チャンネルであると判断される場合には、このチューナ１をロックし、ユーザによってチャンネル切り換えが行われた場合には、チューナ１で最優先チャンネルの受信及び一時記録が継続されるようにするとともに、他のチューナ２でユーザが要求したチャンネルの受信が行われる。【選択図】図３Ｂ
2007180860.tif 000002
【特許請求の範囲】
【請求項１】
複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザの視聴履歴に基づいて、時間に依存した各チャンネルの相対的な優先度を算出し、算出結果をチャンネル優先度情報として保持するチャンネル優先度処理手段と、
前記チャンネル切り換え要求検出手段で新たなチャンネル切り換え要求が検出された場合に、前記チャンネル優先度情報を参照して、前記新たなチャンネル切り換え要求の検出時点における前記新たなチャンネル切り換え要求の直前に視聴されているチャンネルの優先度を確認するチャンネル優先度確認手段と、
前記チャンネル優先度確認手段で、前記新たなチャンネル切り換え要求の検出時点において前記新たなチャンネル切り換え要求の直前に視聴されているチャンネルが最優先のチャンネルであると判定された場合、前記新たなチャンネル切り換え要求の直前に視聴されているチャンネルの受信に利用されているチューナとは異なる他のチューナを利用して、前記新たなチャンネル切り換え要求で指定されたチャンネルの受信が行われるように制御するチューナ選択制御手段とを、
有する映像データ記録再生制御装置。
【請求項２】
複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザの視聴履歴に基づいて、時間に依存した各チャンネルの相対的な優先度を算出し、算出結果をチャンネル優先度情報として保持するチャンネル優先度処理手段と、
前記チャンネル切り換え要求検出手段で新たなチャンネル切り換え要求が検出された場合に、前記チャンネル優先度情報を参照して、前記新たなチャンネル切り換え要求の検出時点における前記新たなチャンネル切り換え要求の直前に視聴されているチャンネルの優先度を確認するチャンネル優先度確認手段と、
前記チャンネル優先度確認手段で、前記新たなチャンネル切り換え要求の検出時点において前記新たなチャンネル切り換え要求の直前に視聴されているチャンネルが最優先のチャンネルではないと判定された場合、一時記録中の番組の開始時刻において、前記番組のチャンネルが最優先のチャンネルであり、かつ前記新たなチャンネル切り換え要求の検出時点において、一時記録中のチャンネルの優先度が前記新たなチャンネル切り換え要求で指定されたチャンネルの優先度よりも高いか否かを確認する一時記録チャンネル優先度確認手段と、
前記一時記録チャンネル優先度確認手段で、一時記録中の番組の開始時刻において、前記番組のチャンネルが最優先のチャンネルであり、かつ前記新たなチャンネル切り換え要求の検出時点において、一時記録中のチャンネルの優先度が前記新たなチャンネル切り換え要求で指定されたチャンネルの優先度よりも高いことが確認された場合、前記一時記録に利用されているチューナとは異なる他のチューナを利用して、前記新たなチャンネル切り換え要求で指定されたチャンネルの受信が行われるように制御するチューナ選択制御手段とを、
有する映像データ記録再生制御装置。
【請求項３】
複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴を行っているチャンネルに係る一時記録を継続して行う条件を検出する選局固定条件検出手段と、
前記チャンネル切り換え要求検出手段で新たなチャンネル切り換え要求が検出された場合には、前記選局固定条件検出手段で前記条件が検出されたチャンネルの受信に利用されているチューナのチャンネル切り換えを固定し、前記選局固定条件検出手段で前記条件が検出されたチャンネルの受信に利用されているチューナとは異なる他のチューナを利用して、前記新たなチャンネル切り換え要求で指定されたチャンネルの受信が行われるように制御するチューナ選択制御手段と、
前記選局固定条件検出手段で前記条件が検出されたチャンネルで、前記選局固定条件検出手段における前記条件の検出時に放送されていた番組が終了した場合に、前記チャンネル切り換えの固定を解除するチューナ選局固定解除手段とを、
有する映像データ記録再生制御装置。
【請求項４】
複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴を行っているチャンネルに係る一時記録を継続して行う条件を検出する選局固定条件検出手段と、
前記チャンネル切り換え要求検出手段で新たなチャンネル切り換え要求が検出された場合には、前記選局固定条件検出手段で前記条件が検出されたチャンネルの受信に利用されているチューナのチャンネル切り換えを固定し、前記選局固定条件検出手段で前記条件が検出されたチャンネルの受信に利用されているチューナとは異なる他のチューナを利用して、前記新たなチャンネル切り換え要求で指定されたチャンネルの受信が行われるように制御するチューナ選択制御手段と、
前記選局固定条件検出手段で前記条件が検出された時刻から所定の時間が経過した場合に、前記チャンネル切り換えの固定を解除するチューナ選局固定解除手段とを、
有する映像データ記録再生制御装置。
【請求項５】
複数のチューナと、前記複数のチューナのそれぞれにおいて選局されているチャンネルの映像データの一時記録を行う一時記録手段と、前記複数のチューナのいずれか１つで選局されているチャンネルの番組の録画を行う録画手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴を行っているチャンネルに係る一時記録を継続して行う条件を検出する選局固定条件検出手段と、
前記チャンネル切り換え要求検出手段で新たなチャンネル切り換え要求が検出された場合には、前記選局固定条件検出手段で前記条件が検出されたチャンネルの受信に利用されているチューナのチャンネル切り換えを固定し、前記選局固定条件検出手段で前記条件が検出されたチャンネルの受信に利用されているチューナとは異なる他のチューナを利用して、前記新たなチャンネル切り換え要求で指定されたチャンネルの受信が行われるように制御するチューナ選択制御手段と、
前記選局固定条件検出手段で前記条件が検出されたチャンネルとは異なるチャンネルの番組の録画が開始された場合には、前記選局固定条件検出手段で前記条件が検出されたチャンネルの受信に利用されているチューナとは異なる他のチューナを利用して前記番組の録画を開始するとともに、前記チャンネル切り換えの固定を解除するチューナ選局固定解除手段とを、
有する映像データ記録再生制御装置。
【発明の詳細な説明】
【技術分野】
【０００１】
本発明は、光ディスクやハードディスクあるいは半導体メモリなどの大容量の記録媒体に対して映像データの記録及び再生を行う映像データ記録再生装置（以下、単に記録再生装置と呼ぶこともある）を制御する映像データ記録再生制御装置に関し、特に、ＴＶ（テレビジョン）放送における放送番組（テレビ番組）を通じて取得される映像データの記録及び再生を行う映像データ記録再生装置を制御する映像データ記録再生制御装置に関する。
【背景技術】
【０００２】
従来、放送番組などの映像（及び音声）のコンテンツの記録再生を行う記録再生装置としては、ビデオテープを用いたＶＴＲ（Video Tape Recorder：ビデオテープレコーダ）が知られているが、近年では、ＤＶＤ（Digital Versatile Disc）、ＨＤＤ（Hard Disk Drive：ハードディスクドライブ）、半導体メモリなどの大容量の記録媒体を用いて映像データの記録再生を行うＨＤＤレコーダやＤＶＤレコーダなどの記録再生装置が知られている。また、例えばハードディスクなどのランダムアクセス可能な記録媒体を用いた記録再生装置において、視聴者が所望の番組を録画しながら他の録画番組を再生（視聴）できるように構成されているものも存在する。
【０００３】
また、ハードディスクなどのランダムアクセス可能な大容量の記録媒体を用いることで、番組の録画中に、その番組の録画済みの部分の再生を行うことが可能なタイムシフト再生に類似する機能として、キャッシュ再生と呼ばれる機能も提案されている。
【０００４】
このキャッシュ再生では、所定容量（所定時間）を限度として、放送中の視聴番組を常に記録媒体に一時的に録画（キャッシュ）することで、ユーザが少し前のシーンからもう一度視聴したい場合などに、このキャッシュとして蓄えられている範囲内において、時間をさかのぼって再生できるようにする機能である。タイムシフト再生やキャッシュ再生に関しては、例えば、下記の各特許文献１〜４などにおいても開示されている。
【０００５】
下記の特許文献１には、タイムシフト再生やキャッシュ再生の再生対象の番組に、番組の区切れを設定する技術が開示されている。この特許文献１に開示されている技術によれば、ユーザは、キャッシュに録画されているデータの再生によって、何気なく視聴している番組において見逃してしまったシーンや特別にもう一度視聴し直したいと思うシーンを視聴することが可能となる。
【０００６】
また、下記の特許文献２、３には、複数のチューナを利用して、あるチャンネルの番組の視聴が行われている際に視聴者が一時的に他のチャンネルに切り換えた場合、チャンネル切り換え前の番組の録画が行われる技術が開示されている。また、下記の特許文献４には、ピクチャインピクチャ視聴システムにおいて、親画面と子画面との表示切り換え、及び各画面に表示される映像のキャッシュ再生の操作を行うためのリモコン（リモートコントローラ）を１つにまとめることによって、ユーザの利便性を向上させる技術が開示されている。これらの特許文献２〜４に開示されている技術によれば、放送信号を受信・選局するチューナを複数設けることによって、特定の番組を録画する一方で他の番組（上記の特定の番組の裏番組）を再生・視聴することが可能となる。
【０００７】
また、図１１〜１３には、ユーザ要求、チューナ状態、一時記録を行う対象チャンネル、一時記録の再生状態、モニタに表示される対象チャンネル（表示状態）のそれぞれの時間的な関係を模式的に示すタイミングチャートが図示されている。以下、図１１〜１３を参照しながら、従来の技術に係る動作の一例について説明する。
【０００８】
なお、以下では、任意の時刻ｔαに行われる各動作、又は任意の時刻ｔαの状態を表す場合、時刻をパラメータとした関数によって表記する場合もある。すなわち、例えば、時刻ｔ１において、ユーザによってＣｈ１へのチャンネル切り換え要求（Ｃｈ１選択操作）が行われた場合には、Ｕ（ｔ１）＝Ｃｈ１と表記することがあり、時刻ｔ４において、モニタにＣｈ４のチャンネル表示が開始された場合には、Ｄ（ｔ４）＝Ｃｈ４と表記することがある。
【０００９】
まず、図１１を参照しながら、従来の技術に係る動作の第１の例について説明する。図１１に図示されているタイミングチャートには、基本的に、ユーザがチャンネル切り換えを行った場合に、このチャンネル切り換えに連動してチューナが切り換わるとともに、チューナによる受信信号を一時記録装置が記録する場合の一例が図示されている。なお、図１１には、図面の左から右方向に時刻（ｔ）の流れが示されており、図面の縦方向には、ユーザ要求：Ｕ、チューナ状態：Ｔｕ、一時記録を行う対象チャンネル：Ｃ、一時記録データの再生状態：Ｐ、モニタに表示される対象チャンネル（表示状態）：Ｄの各項目が配置されている。
【００１０】
図１１において、時刻ｔ７０におけるユーザの操作Ｕ（ｔ７０）＝電源オン（ＰＷ ＯＮ）の後、ユーザが指示するチャンネル切り換え要求Ｕ（ｔ７１）＝Ｃｈ１、Ｕ（ｔ７２）＝Ｃｈ３、Ｕ（ｔ７３）＝Ｃｈ４、Ｕ（ｔ７４）＝Ｃｈ１に対して、チューナはその要求に応じて随時Ｔｕ（ｔ７１）＝Ｃｈ１、Ｔｕ（ｔ７２）＝Ｃｈ３、Ｔｕ（ｔ７３）＝Ｃｈ４、Ｔｕ（ｔ７４）＝Ｃｈ１のように、チャンネルの切り換えを行う。
【００１１】
また、これにより、このチューナによってチューニングされているチャンネルの番組を記録する一時記録の対象チャンネルも、Ｃ（ｔ７１）＝Ｃｈ１、Ｃ（ｔ７２）＝Ｃｈ３、Ｃ（ｔ７３）＝Ｃｈ４、Ｃ（ｔ７４）＝Ｃｈ１となる。また、モニタ表示もユーザ要求に追従して、Ｄ（ｔ７１）＝Ｃｈ１、Ｄ（ｔ７２）＝Ｃｈ３、Ｄ（ｔ７３）＝Ｃｈ４、Ｄ（ｔ７４）＝Ｃｈ１となる。
【００１２】
次に、時刻ｔ７５において、ユーザが一時記録装置に記録されたデータを再生する要求Ｕ（ｔ７５）＝再生を行った場合、一時記録データの再生状態は、一時記録装置に記録されている番組の再生映像を出力するＰ（ｔ７５）＝再生（例えば、時刻ｔ７４以降に一時記録されているＣｈ１の番組）となって、表示状態Ｄ（ｔ７５）＝再生（例えば、時刻ｔ７４以降に一時記録されているＣｈ１の番組）となる。
【００１３】
一方、一時記録装置では、継続してＣｈ１の番組の録画が行われる。すなわち、一時記録装置は、ユーザが選局したチューナの映像データをそのまま記録する。そして、時刻ｔ７７においてユーザがチャンネルをＣｈ４に切り換えるチャンネル切り換え要求Ｕ（ｔ７７）＝Ｃｈ４を行った場合には、再び、このユーザ要求に応じて、チューナ状態Ｔｕ（ｔ７７）＝Ｃｈ４、一時記録状態Ｃ（ｔ７７）＝Ｃｈ４、表示状態Ｄ（ｔ７７）＝Ｃｈ４となり、一時記録データの再生状態Ｐ（ｔ７７）＝停止となる。
【００１４】
続いて、図１２を参照しながら、従来の技術に係る動作の第２の例について説明する。図１２に図示されているタイミングチャートにおいても、図１１に図示されているタイミングチャートと同様に、ユーザが選局したチャンネルがそのまま記録される場合の一例が図示されている。なお、図１２には、図面の左から右方向に時刻（ｔ）の流れが示されており、図面の縦方向には、ユーザ要求：Ｕ、チューナ状態：Ｔｕ、一時記録を行う対象チャンネル：Ｃ、所定の録画装置の録画状態：Ｒ、モニタに表示される対象チャンネル（表示状態）：Ｄの各項目が配置されている。
【００１５】
図１２において、時刻ｔ８０におけるユーザの操作Ｕ（ｔ８０）＝電源オン（ＰＷ ＯＮ）の後、ユーザが指示するチャンネル切り換え要求Ｕ（ｔ８１）＝Ｃｈ１、Ｕ（ｔ８２）＝Ｃｈ３、Ｕ（ｔ８３）＝Ｃｈ４、Ｕ（ｔ８４）＝Ｃｈ１に対して、チューナはその要求に応じて随時Ｔｕ（ｔ８１）＝Ｃｈ１、Ｔｕ（ｔ８２）＝Ｃｈ３、Ｔｕ（ｔ８３）＝Ｃｈ４、Ｔｕ（ｔ８４）＝Ｃｈ１のように、チャンネルの切り換えを行う。
【００１６】
また、これにより、このチューナによってチューニングされているチャンネルの番組を記録する一時記録の対象チャンネルも、Ｃ（ｔ８１）＝Ｃｈ１、Ｃ（ｔ８２）＝Ｃｈ３、Ｃ（ｔ８３）＝Ｃｈ４、Ｃ（ｔ８４）＝Ｃｈ１となる。また、表示状態もユーザ要求に追従して、Ｄ（ｔ８１）＝Ｃｈ１、Ｄ（ｔ８２）＝Ｃｈ３、Ｄ（ｔ８３）＝Ｃｈ４、Ｄ（ｔ８４）＝Ｃｈ１となる。
【００１７】
次に、時刻ｔ８５において、ユーザが一時記録装置に記録されたデータを他の記録媒体に記録（録画）する要求Ｕ（ｔ８５）＝録画を行った場合、一時記録装置に記録されている番組の録画が開始される。すなわち、ユーザによる録画要求によって、所定の録画装置の録画状態Ｒ（ｔ８５）＝録画（例えば、時刻ｔ８４以降に一時記録されているＣｈ１の番組）となり、一時記録装置に記録されたデータが、所定の録画装置に出力されて記録媒体に記録される。
【００１８】
その後、例えば、ユーザが指示するチャンネル切り換え要求Ｕ（ｔ８６）＝Ｃｈ４、Ｕ（ｔ８７）＝Ｃｈ１に連動して、チューナ状態Ｔｕ（ｔ８６）＝Ｃｈ４、Ｔｕ（ｔ８７）＝Ｃｈ１となるとともに、表示状態Ｄ（ｔ８６）＝Ｃｈ４、Ｄ（ｔ８７）＝Ｃｈ１となる一方、所定の録画装置は、一時記録装置に記録されているデータを他の記録媒体に録画する動作を継続して行い、その結果、所定の録画装置の状態は、時刻ｔ８６のチャンネル切り換えに対応して、Ｒ（ｔ８８）＝Ｃｈ４となり、時刻ｔ８７のチャンネル切り換えに対応して、Ｒ（ｔ８９）＝Ｃｈ１となる。
【００１９】
続いて、図１３を参照しながら、従来の技術に係る動作の第３の例について説明する。図１３に図示されているタイミングチャートには、２つのチューナを利用して、チューナのチャンネル切り換え動作及び一時記録動作が行われる場合の一例が図示されている。なお、図１３には、図面の左から右方向に時刻（ｔ）の流れが示されており、図面の縦方向には、ユーザ要求：Ｕ、チューナ１のチューナ状態：Ｔｕ１、チューナ２のチューナ状態：Ｔｕ２、チューナ１に対応する一時記録動作：Ｃ１、一時記録装置によって記録されたデータの再生状態Ｐ１、モニタに表示される対象チャンネル（表示状態）：Ｄの各項目が配置されている。
【００２０】
図１３において、ユーザが時刻ｔ９０においてチャンネル切り換え要求Ｕ（ｔ９０）＝Ｃｈ６を行った場合、この要求に応じて、一方のチューナ（チューナ１）の状態がＴｕ１（ｔ９０）＝Ｃｈ６となって、ユーザの指示に従ってチャンネルを合わせる。また、表示状態もユーザの指示に従って、Ｄ（ｔ９０）＝Ｃｈ６となる。また、ユーザが時刻ｔ９１においてチャンネル切り換え要求Ｕ（ｔ９１）＝Ｃｈ１を行った場合も同様に、Ｔｕ１（ｔ９１）＝Ｃｈ１、Ｄ（ｔ９１）＝Ｃｈ１となる。
【００２１】
ここで、時刻ｔ９２において、ユーザがこのチャンネル（Ｃｈ１）を一応記録しておこうと思い、一時記録要求Ｕ（ｔ９２）＝記録を行ったとする。この場合、一時記録装置は、このチューナ１のチャンネル（Ｃｈ１）番組の一時記録動作Ｃ１（ｔ９２）＝Ｃｈ１を開始する。
【００２２】
この状態のときに、ユーザがチャンネル切り換え要求Ｕ（ｔ９３）＝Ｃｈ３、Ｕ（ｔ９４）＝Ｃｈ４を行った場合には、チューナ１の選局及び一時記録装置の一時記録動作はそのまま継続される一方、もう一方のチューナ２で、Ｔｕ２（ｔ９３）＝Ｃｈ３、Ｔｕ２（ｔ９４）＝Ｃｈ１のように選局が行われ、表示状態もこのユーザ操作に連動して、Ｄ（ｔ９３）＝Ｃｈ３、Ｄ（ｔ９４）＝Ｃｈ４となる。
【００２３】
これによって、ユーザが特定のチャンネルの番組の一時記録を指示した場合には、その後のチャンネルの選局及びモニタ表示は、別のチューナによって行われ、番組の録画（一時記録）中であっても、他の番組の視聴が可能となる。
【００２４】
また、時刻ｔ９５において、ユーザが一時記録装置に記録されたデータを再生する要求Ｕ（ｔ９５）＝再生を行った場合、一時記録データの再生状態は、一時記録装置に記録されている番組の再生映像を出力するＰ１（ｔ９５）＝再生（例えば、時刻ｔ９３以降に一時記録されているＣｈ１の番組）となって、表示状態Ｄ（ｔ９５）＝再生（例えば、時刻ｔ９３以降に一時記録されているＣｈ１の番組）となる。
【００２５】
この後の動作は、ユーザやメーカ側の設定によって様々であるが、例えば、ユーザが時刻ｔ９７で一時記録データの再生停止を要求した場合（Ｕ（ｔ９７）＝再生停止）には、一時記録データの再生状態Ｐ１（ｔ９７）＝停止（例えば、時刻ｔ９７におけるＣｈ１の番組で停止）となるとともに、表示状態Ｄ（ｔ９７）＝Ｃｈ４となる。また、ユーザによる別のチャンネル選局Ｕ（ｔ９８）＝Ｃｈ８に対してチューナ２がＴｕ２（ｔ９８）＝Ｃｈ８となるとともに、Ｄ（ｔ９８）＝Ｃｈ８となる。さらに、Ｕ（ｔ９９）＝Ｃｈ１のように、ユーザがＣｈ１の選局を行った場合には、Ｐ１（ｔ９９）＝再生（時刻ｔ９７以降のＣｈ１の番組（一時記録データ）の再生）が再開され、Ｄ（ｔ９９）＝再生（Ｃｈ１の一時記録データ）となる。
【特許文献１】特開２００２−１００１６２号公報（段落０００３〜０００６、００３５〜００３７）
【特許文献２】特開２００２−５１２９０号公報（図２〜４）
【特許文献３】特開２００３−５２００１号公報（段落００２８、図１）
【特許文献４】特開２００４−７２４４９号公報（段落００８２〜００８４、図１）
【発明の開示】
【発明が解決しようとする課題】
【００２６】
しかしながら、特許文献１に開示されている技術では、キャッシュ再生を可能にするキャッシュ録画は視聴中の番組を記録するものであるため、ユーザが選局した視聴チャンネルに依存して、視聴中の映像データがキャッシュされることになる。このため、キャッシュ機能を十分に活用するためには、ユーザは、チャンネルの切り換えをむやみ行わないことが望ましい。すなわち、チャンネル切り換えの激しいユーザにとっては、キャッシュ機能を十分に活用することはできないという問題がある。
【００２７】
また、特許文献２、３に開示されている技術では、複数のチャンネルのうちのどのチャンネルで放送されている番組をキャッシュ録画の対象番組とするかに関しては、ユーザの意思によって選択される必要がある。したがって、ユーザは、キャッシュされる番組を意識する必要があり、キャッシュ録画機能に本来求められている「何気なく視聴している番組に対してのキャッシュ記録」という観点においては、決して十分なものであるとは言えないという問題がある。
【００２８】
また、特許文献４に開示されている技術では、親画面において再生されている番組の録画を固定チャンネル録画の対象とすることで、特定の番組（親画面に表示される番組）のチャンネルを固定して録画しながら、他のチャンネルの選局、再生が可能となるが、上述の特許文献２、３と同様に、ユーザは、親画面及び子画面の関係によってキャッシュ録画の対象番組を決める必要がある。さらに、特許文献４に開示されている技術は、親画面及び子画面を利用していない全画面表示（１画面表示）による番組視聴に対応しておらず、全画面表示の際には、特許文献２、３に開示されている技術と同様に、ユーザは、何らかの方法によって、キャッシュ録画の対象番組を選択しなければならないという問題がある。
【００２９】
上記の問題に鑑み、本発明は、ユーザが何気なく視聴している番組から他の番組へ視聴チャンネルを切り換えた後に、当初何気なく視聴していた番組に視聴チャンネルを戻した際に大切なシーンを見逃してしまっていた場合などにおいて、他の番組の視聴期間であっても、何気なく視聴していた番組を継続してキャッシュ録画する映像データ記録再生制御装置を提供することを目的とする。
【課題を解決するための手段】
【００３０】
上記の目的を達成するため、本発明の第１の態様によれば、複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザの視聴履歴に基づいて、時間に依存した各チャンネルの相対的な優先度を算出し、算出結果をチャンネル優先度情報として保持するチャンネル優先度処理手段と、
前記チャンネル切り換え要求検出手段で新たなチャンネル切り換え要求が検出された場合に、前記チャンネル優先度情報を参照して、前記新たなチャンネル切り換え要求の検出時点における前記新たなチャンネル切り換え要求の直前に視聴されているチャンネルの優先度を確認するチャンネル優先度確認手段と、
前記チャンネル優先度確認手段で、前記新たなチャンネル切り換え要求の検出時点において前記新たなチャンネル切り換え要求の直前に視聴されているチャンネルが最優先のチャンネルであると判定された場合、前記新たなチャンネル切り換え要求の直前に視聴されているチャンネルの受信に利用されているチューナとは異なる他のチューナを利用して、前記新たなチャンネル切り換え要求で指定されたチャンネルの受信が行われるように制御するチューナ選択制御手段とを、
有する映像データ記録再生制御装置が提供される。
【００３１】
また、上記の目的を達成するため、本発明の第２の態様によれば、複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザの視聴履歴に基づいて、時間に依存した各チャンネルの相対的な優先度を算出し、算出結果をチャンネル優先度情報として保持するチャンネル優先度処理手段と、
前記チャンネル切り換え要求検出手段で新たなチャンネル切り換え要求が検出された場合に、前記チャンネル優先度情報を参照して、前記新たなチャンネル切り換え要求の検出時点における前記新たなチャンネル切り換え要求の直前に視聴されているチャンネルの優先度を確認するチャンネル優先度確認手段と、
前記チャンネル優先度確認手段で、前記新たなチャンネル切り換え要求の検出時点において前記新たなチャンネル切り換え要求の直前に視聴されているチャンネルが最優先のチャンネルではないと判定された場合、一時記録中の番組の開始時刻において、前記番組のチャンネルが最優先のチャンネルであり、かつ前記新たなチャンネル切り換え要求の検出時点において、一時記録中のチャンネルの優先度が前記新たなチャンネル切り換え要求で指定されたチャンネルの優先度よりも高いか否かを確認する一時記録チャンネル優先度確認手段と、
前記一時記録チャンネル優先度確認手段で、一時記録中の番組の開始時刻において、前記番組のチャンネルが最優先のチャンネルであり、かつ前記新たなチャンネル切り換え要求の検出時点において、一時記録中のチャンネルの優先度が前記新たなチャンネル切り換え要求で指定されたチャンネルの優先度よりも高いことが確認された場合、前記一時記録に利用されているチューナとは異なる他のチューナを利用して、前記新たなチャンネル切り換え要求で指定されたチャンネルの受信が行われるように制御するチューナ選択制御手段とを、
有する映像データ記録再生制御装置が提供される。
【００３２】
また、上記の目的を達成するため、本発明の第３の態様によれば、複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴を行っているチャンネルに係る一時記録を継続して行う条件を検出する選局固定条件検出手段と、
前記チャンネル切り換え要求検出手段で新たなチャンネル切り換え要求が検出された場合には、前記選局固定条件検出手段で前記条件が検出されたチャンネルの受信に利用されているチューナのチャンネル切り換えを固定し、前記選局固定条件検出手段で前記条件が検出されたチャンネルの受信に利用されているチューナとは異なる他のチューナを利用して、前記新たなチャンネル切り換え要求で指定されたチャンネルの受信が行われるように制御するチューナ選択制御手段と、
前記選局固定条件検出手段で前記条件が検出されたチャンネルで、前記選局固定条件検出手段における前記条件の検出時に放送されていた番組が終了した場合に、前記チャンネル切り換えの固定を解除するチューナ選局固定解除手段とを、
有する映像データ記録再生制御装置が提供される。
【００３３】
また、上記の目的を達成するため、本発明の第４の態様によれば、複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴を行っているチャンネルに係る一時記録を継続して行う条件を検出する選局固定条件検出手段と、
前記チャンネル切り換え要求検出手段で新たなチャンネル切り換え要求が検出された場合には、前記選局固定条件検出手段で前記条件が検出されたチャンネルの受信に利用されているチューナのチャンネル切り換えを固定し、前記選局固定条件検出手段で前記条件が検出されたチャンネルの受信に利用されているチューナとは異なる他のチューナを利用して、前記新たなチャンネル切り換え要求で指定されたチャンネルの受信が行われるように制御するチューナ選択制御手段と、
前記選局固定条件検出手段で前記条件が検出された時刻から所定の時間が経過した場合に、前記チャンネル切り換えの固定を解除するチューナ選局固定解除手段とを、
有する映像データ記録再生制御装置が提供される。
【００３４】
また、上記の目的を達成するため、本発明の第５の態様によれば、複数のチューナと、前記複数のチューナのそれぞれにおいて選局されているチャンネルの映像データの一時記録を行う一時記録手段と、前記複数のチューナのいずれか１つで選局されているチャンネルの番組の録画を行う録画手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴を行っているチャンネルに係る一時記録を継続して行う条件を検出する選局固定条件検出手段と、
前記チャンネル切り換え要求検出手段で新たなチャンネル切り換え要求が検出された場合には、前記選局固定条件検出手段で前記条件が検出されたチャンネルの受信に利用されているチューナのチャンネル切り換えを固定し、前記選局固定条件検出手段で前記条件が検出されたチャンネルの受信に利用されているチューナとは異なる他のチューナを利用して、前記新たなチャンネル切り換え要求で指定されたチャンネルの受信が行われるように制御するチューナ選択制御手段と、
前記選局固定条件検出手段で前記条件が検出されたチャンネルとは異なるチャンネルの番組の録画が開始された場合には、前記選局固定条件検出手段で前記条件が検出されたチャンネルの受信に利用されているチューナとは異なる他のチューナを利用して前記番組の録画を開始するとともに、前記チャンネル切り換えの固定を解除するチューナ選局固定解除手段とを、
有する映像データ記録再生制御装置が提供される。
【発明の効果】
【００３５】
上述の本発明の第１の態様によれば、各チャンネルの優先度レベルを定め、この優先度レベルに基づいてユーザの関心の高い番組を予測して、その番組の一時記録動作を維持することが可能となる。
【００３６】
また、上述の本発明の第２の態様によれば、各チャンネルの優先度レベルを定め、この優先度レベルに基づいてユーザの関心の高い番組を予測して、その番組の一時記録動作を維持し、さらに、一時記録動作が行われているときにユーザによってチャンネル切り換え要求が行われた場合には、番組の開始時における優先度レベルが最優先であった番組のチャンネル、かつ優先度レベルの高いチャンネルの一時記録動作が優先的に継続されるようにすることが可能となる。
【００３７】
また、上述の本発明の第３の態様によれば、一時記録動作の対象チャンネルに関してチャンネル選局固定条件を監視し、チャンネル選局固定条件が整った場合には、そのチャンネルを受信しているチューナを固定して一時記録動作が継続されるようにすることが可能となる。また、チューナの固定中はチャンネル選局固定を解除する解除条件（チャンネル選局固定条件の検出時に固定対象のチャンネルで放送されていた番組が終了した場合）を監視し、この解除条件が検出された場合には、チューナの固定を開放することが可能となる。
【００３８】
また、上述の本発明の第４の態様によれば、一時記録動作の対象チャンネルに関してチャンネル選局固定条件を監視し、チャンネル選局固定条件が整った場合には、そのチャンネルを受信しているチューナを固定して一時記録動作が継続されるようにすることが可能となる。また、チューナの固定中はチャンネル選局固定を解除する解除条件（チューナ選局が固定された時点から所定の時間経過した場合）を監視し、この解除条件が検出された場合には、チューナの固定を開放することが可能となる。
【００３９】
また、上述の本発明の第５の態様によれば、一時記録動作の対象チャンネルに関してチャンネル選局固定条件を監視し、チャンネル選局固定条件が整った場合には、そのチャンネルを受信しているチューナを固定して一時記録動作が継続されるようにすることが可能となる。また、チューナの固定中はチャンネル選局固定を解除する解除条件（別のチューナを利用した番組録画が開始された場合）を監視し、この解除条件が検出された場合には、チューナの固定を開放することが可能となる。
【発明を実施するための最良の形態】
【００４０】
以下、図面を参照しながら、本発明の第１〜第５の実施の形態について説明する。まず、本発明の第１〜第５の実施の形態において用いられる記録再生装置の構成の一例について説明する。図１は、本発明の第１〜第５の実施の形態において用いられる記録再生装置の構成の概略を示すブロック図であり、図２は、本発明の第１〜第５の実施の形態において用いられる記録再生装置の記録処理部及び制御部によって実現される機能の一例を示すブロック図である。
【００４１】
図１に図示されている記録再生装置５０は、アンテナや外部機器（他の再生装置）などから供給される入力信号を受けて、その信号に含まれるデータ（映像データ）を記録媒体に記録する機能や、記録媒体に記録されているデータを読み出して、ＴＶなどの表示装置や他の記録装置などにデータを再生して出力する機能を有している。なお、記録再生装置５０は、予約設定された時刻やチャンネルに基づいて放送番組の録画を行う機能や、番組を一時的に記録し再生を行う一時記録機能及びキャッシュ再生機能も有している。
【００４２】
上記の機能を実現するため、図１に図示されている記録再生装置５０は、外部（アンテナや他の再生装置など）から供給される入力信号を受ける外部機器入力部１と、選局機能を備えた第１放送受信部（チューナ１）２及び第２放送受信部（チューナ２）３と、外部機器入力部１や第１及び第２放送受信部２、３などから供給される入力信号を記録するための記録媒体を有する記録処理部４と、記録再生装置５０の動作状況やユーザによる操作状況などを表示する表示パネルなどの表示部５と、この記録再生装置５０をリモコンなどのユーザインターフェースを通して操作を可能とするためのユーザ制御部６と、外部機器入力部１や第１及び第２放送受信部２、３などから供給される入力信号や記録媒体から読み出された信号を、外部（表示装置や他の録画装置など）に対して出力する外部機器出力部７と、各構成要素の動作制御を行う制御部８とを有している。
【００４３】
また、図１に図示されている記録再生装置５０の記録処理部４及び制御部８は、図２に図示されている機能を実現する。図２において、外部機器入力部１や第１及び第２放送受信部２、３から供給される入力信号は、その後の処理の対象となる信号を少なくとも１つ以上選択するための信号選択部９に送られ、信号の選択が行われる。処理の対象として選択された信号は、記録信号処理部１０によって圧縮処理（例えばＭＰＥＧ（Moving Picture Experts Group）方式）などの記録信号処理が行われる。
【００４４】
そして、この記録信号処理部１０による記録信号処理後のデータは、記録制御部１１及び記録媒体管理部１２の制御によって、主に第１及び第２放送受信部２、３で受信された放送信号を一時的にキャッシュする一時記録部１３、１４や、長期的に映像の保存を行う記録媒体１５に送られて記録（録画）される。一時記録部１３、１４は、例えばＨＤＤによって実現され、記録媒体１５は、例えばＨＤＤやＤＶＤによって実現される。
【００４５】
なお、図２では、一時記録部１３、１４、記録媒体１５は、それぞれ独立して図示されているが、１つのハードウェアによって実現することも可能である。すなわち、一時記録部１３、１４、記録媒体１５はそれぞれ個別のハードウェアによって実現されてもよく、あるいは、高速アクセスが可能な大容量記録装置（例えばＨＤＤなど）の記録領域を割り当てたり、個別のファイルとして格納したりすることによって、１つの大容量記録装置で実現されてもよい。
【００４６】
また、一時記録部１３、１４、記録媒体１５に記録されているデータの再生時には、記録媒体管理部１２の制御によって、例えばユーザ制御部６（図１参照）から指示された映像データが、適切な一時記録部１３、１４、記録媒体１５から読み出される。そして、記録媒体管理部１２によって読み出されたデータは、再生制御部１６の制御によって再生信号処理部１７に送られて伸長処理（例えばＭＰＥＧ伸長）などの再生信号処理が行われる。再生信号処理部１７による再生信号処理後のデータは、表示制御部１８の制御によって、ディスプレイ表示処理部１９による処理（例えば、オンスクリーンディスプレイ処理など）の後、外部機器への出力信号として外部機器出力部７（図１参照）に出力される。
【００４７】
また、図２に図示されているように、予約録画のスケジュールなどが記載された予約録画設定テーブルの管理や予約録画の開始指示／終了指示などを行う予約録画制御部２０、日時管理や計時機能などを有するシステムタイマ部２１も実現される。さらに、外部通信回線（例えば、インターネット回線や電話回線など）との接続を行い外部サーバなどとの間におけるデータ通信を制御する回線制御部２４、この回線制御部２４を通じて外部サーバなどから取得した番組情報や、放送受信信号に重畳されている番組情報を受信して、各種情報を抽出し管理する機能を有する番組情報抽出／管理部２３も実現される。
【００４８】
また、図２には、システム全体の機能を実現するために各機能ブロックを制御するシステム制御部２２も図示されている。なお、後述する本発明の各種機能も、このシステム制御部２２において制御される。
【００４９】
なお、図１及び図２では、記録再生装置５０の各機能をブロックによって表現しているが、これらの機能は、ソフトウェア及び／又はハードウェアによって実現可能である。特に、情報の処理を行うブロックの機能は、コンピュータに搭載されたＣＰＵ（Central Processing Unit：中央演算処理装置）によるプログラムの実行によって実現可能である。
【００５０】
次に、上述の図１及び図２に図示されている記録再生装置５０によって実現可能な各種機能について説明する。
【００５１】
＜第１の実施の形態＞
まず、図３Ａ、図３Ｂ、図４を参照しながら、本発明の第１の実施の形態について説明する。図３Ａは、本発明の第１の実施の形態における各チャンネルの優先度レベルを表すグラフであり、図３Ｂは、本発明の第１の実施の形態における記録再生装置の動作の一例を示すタイミングチャートである。
【００５２】
図３Ａには、時刻に依存して変動する各チャンネルの優先度レベルの一例が図示されている。なお、図３Ａには、図面の左から右方向に時刻（ｔ）の流れが示されており、図面の上下方向に各チャンネルの優先度レベル（上のほうがより優先度レベルが高い）が示されている。また、図３Ａには、後で詳細に説明する図３Ｂのタイミングチャートと同一の時間帯が図示されており、図３Ｂのタイミングチャートは、この図３Ａに示されている優先度レベルに従って、動作を行うものとする。
【００５３】
図３Ａには、時間の流れに従って、Ｃｈ１、Ｃｈ３、Ｃｈ４、Ｃｈ６、Ｃｈ８の各チャンネルの優先度レベルが変動する様子が図示されている。なお、このチャンネルの優先度レベルの生成方法は任意である。例えば、チャンネルの優先度レベルは、ユーザの視聴履歴（チャンネル切り換え要求の履歴）を記憶、学習することによって生成されてもよい。また、このチャンネルの優先度レベルは、例えば、曜日ごとに細かく設定されてもよく、あるいは、様々なユーザに係るチャンネルの優先度レベルから統計的に算出されたデータが用いられてもよい。
【００５４】
一方、図３Ｂには、図１に図示されているように、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図３Ｂには、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ１の一時記録動作：Ｃ１、チューナ２の一時記録動作：Ｃ２、モニタに表示する対象チャンネル（表示状態）：Ｄの各項目が配置されている。
【００５５】
図３Ｂにおいて、記録再生装置は、例えば電源投入時から一時記録機能が動作するように構成されている。すなわち、時刻ｔ０におけるユーザの操作Ｕ（ｔ０）＝電源オン（ＰＷ ＯＮ）と同時に、チューナ１及びチューナ２の一時記録動作が始動する。
【００５６】
続いて、ユーザによってチャンネル切り換え要求Ｕ（ｔ１）＝Ｃｈ８、Ｕ（ｔ２）＝Ｃｈ６、Ｕ（ｔ３）＝Ｃｈ１が指示された場合には、記録再生装置は、図３Ａに模式的に図示されているチャンネルの優先度レベル情報を参照して、ユーザによって指示されたチャンネルの優先度レベルが、指示された時点で最優先レベルか否かを確認する。ここでは、Ｕ（ｔ１）＝Ｃｈ８、Ｕ（ｔ２）＝Ｃｈ６、Ｕ（ｔ３）＝Ｃｈ１で指定された各チャンネルはいずれも、その時点で最優先レベルではない（すなわち、更に高優先レベルのチャンネルが存在する）ので、チューナ１がその要求に応じて随時Ｔｕ１（ｔ１）＝Ｃｈ８、Ｔｕ１（ｔ２）＝Ｃｈ６、Ｔｕ１（ｔ３）＝Ｃｈ１のようにチャンネルの切り換えを行う。また、このチューナ１の一時記録の対象チャンネルもユーザのチャンネル切り換え要求に連動して、Ｃ１（ｔ１）＝Ｃｈ８、Ｃ１（ｔ２）＝Ｃｈ６、Ｃ１（ｔ３）＝Ｃｈ１となり、モニタ表示もユーザのチャンネル切り換え要求に追従して、Ｄ（ｔ１）＝Ｃｈ８、Ｄ（ｔ２）＝Ｃｈ６、Ｄ（ｔ３）＝Ｃｈ１となる。
【００５７】
ここで、時刻ｔ５において、ユーザによるチャンネル切り換え要求Ｕ（ｔ５）＝Ｃｈ４が行われた場合、図３Ａに示すように現在視聴中のＣｈ１が時刻ｔ５において最優先レベルなので、チューナ１の選局及びチューナ１の一時記録動作は固定（ロック）され、ユーザによるチャンネル切り換え要求Ｕ（ｔ５）＝Ｃｈ４に対しては、チューナ２が対応する。その結果、チューナ２の状態はＴｕ２（ｔ５）＝Ｃｈ４となり、この動作に連動して、Ｃ２（ｔ５）＝Ｃｈ４、Ｄ（ｔ５）＝Ｃｈ４となる。
【００５８】
なお、図３Ａに示すように、Ｃｈ１の優先度は、時刻ｔ４から時刻ｔ７の時間Ｔで最優先レベルなので、この時間Ｔ内においては視聴中だったＣｈ１は、チューナ１で受信及び一時記録される一方、この時間Ｔの範囲でユーザによってチャンネル切り換え要求が行われた場合には、チューナ２によって対応が行われる。すなわち、例えば、時刻ｔ６においてユーザによってチャンネル切り換え要求Ｕ（ｔ６）＝Ｃｈ３が行われた場合には、チューナ２がその要求に応じて、Ｔｕ２（ｔ６）＝Ｃｈ３、Ｃ２（ｔ６）＝Ｃｈ３、Ｄ（ｔ６）＝Ｃｈ３となる。
【００５９】
また、Ｃｈ１の優先度レベルが最優先ではなくなった場合には、チューナ１の固定は開放され、再びチューナ１によって、ユーザによるチャンネル切り換え要求への対応が行われる。すなわち、Ｃｈ１が最優先レベルではなくなった時刻ｔ７以降の時刻ｔ８において、ユーザによってチャンネル切り換え要求Ｕ（ｔ８）＝Ｃｈ４が行われた場合には、チューナ１がＴｕ１（ｔ８）＝Ｃｈ４となり、Ｃ１（ｔ８）＝Ｃｈ４、Ｄ（ｔ８）＝Ｃｈ４となる。
【００６０】
このように、各チャンネルの優先度レベルに基づき、ユーザが視聴している（あるいは、モニタ表示されている）チャンネルの優先度レベルが最優先のときに、ユーザによってチャンネル切り換え要求が行われた場合には、最優先と判断されたチャンネルの一時記憶動作が継続して行われるとともに、別のチューナ２によって、チャンネル切り換え要求の対象チャンネルの受信及びモニタ表示が行われるようにする。
【００６１】
各チャンネルの優先度レベルは、上述のように、例えばユーザ履歴が反映されたものである。すなわち、例えばユーザ履歴などによって生成された各チャンネルの優先度レベルからユーザにとって興味深いと思われる番組を判断して、一時記録を継続して行う必要がある視聴中の番組を特定し、ユーザが他のチャンネルに切り換えた場合でも、この番組の一時記録を継続して行うことが可能となる。
【００６２】
次に、図４を参照しながら、本発明の第１の実施の形態における記録再生装置で行われる処理について説明する。図４は、本発明の第１の実施の形態における記録再生装置の処理の一例を示すフローチャートである。なお、以下では、説明を簡素化するためにチャンネル切り換え及び一時記録動作に係る処理についてのみ説明する。
【００６３】
図４に示すように、記録再生装置は電源がオンになるとシステムを順次起動する。その一環として、ステップＳ１０１でチューナ１、２を起動し、ステップＳ１０２でチューナ１で選局されている受信データ（番組）の一時記録動作を自動的に開始し、ステップＳ１０３で選局されたチャンネルの番組（あるいは、記録媒体に記録されている映像）をＴＶなどの表示モニタに出力する。
【００６４】
また、記録再生装置は、ステップＳ１０４において、ユーザからのチャンネル切り換え要求の入力をチェックする。ステップＳ１０４でチャンネル切り換え要求が検出されない場合には、ステップＳ１０３に戻って、モニタに映像を表示しながら、チャンネル切り換え要求の入力監視状態となる。一方、ユーザからのチャンネル切り換え要求が検出された場合には、ステップＳ１０５において、このチャンネル切り換え要求をユーザ視聴履歴情報に反映させるように更新処理を行った後、ステップＳ１０６に進む。
【００６５】
ステップＳ１０６では、図３Ａに図示されているようなチャンネルの優先度レベル情報が参照されて、現在視聴中のチャンネル（すなわち、チャンネル切り換え要求前に視聴されていたチャンネル）の優先度レベルが最優先レベルか否かの判断が行われる。
【００６６】
ステップＳ１０６で現在視聴中のチャンネルの優先度レベルが最優先レベルであると判断された場合には、ステップＳ１０７において、もう一方のチューナ２の状態のチェックが行われる。ここで、チューナ２が未使用の場合には、ステップＳ１１０においてチューナ２のチャンネルをステップＳ１０４で入力された要求チャンネルに切り換え、ステップＳ１１１においてチューナ２の選局データを表示モニタに出力できるように出力選択スイッチを切り換えるとともに、ステップＳ１１２において、チューナ１の一時記録動作とは別に（チューナ１の一時記録動作を維持したまま）、チューナ２で選局しているデータの一時記録動作を開始する。そして、ステップＳ１０３に戻ってチューナ２で選局された番組を表示モニタに出力し、上述の動作を繰り返す。なお、例えば、チェック対象のチューナが録画に使用されている状態の場合は、このチューナは使用中であると判断され、単に任意のチャンネルを選局及び受信している状態などの場合には、このチューナは未使用の状態であると判断される。
【００６７】
一方、ステップＳ１０６で現在視聴中のチャンネルの優先度レベルが最優先レベルではないと判断された場合や、ステップＳ１０７でチューナ２が使用中（例えば、チューナ２で受信中の番組が録画中）の場合には、ステップＳ１０８において、チューナ１のチャンネルを要求チャンネルに切り換え、ステップＳ１０９においてチューナ１の選局データを表示モニタに出力できるように出力選択スイッチを切り換える。そして、ステップＳ１０３に戻ってチューナ２で選局された番組を表示モニタに出力し、上述の動作を繰り返す。
【００６８】
以上、説明したように、本発明の第１の実施の形態によれば、各チャンネルの優先度レベルを定め、この優先度レベルに基づいてユーザが興味を示す可能性の高い番組を予測して、その番組（特に、この番組が視聴中の場合）を自動的に一時記録することが可能となる。また、このとき、ユーザによって他のチャンネルへの切り換えが行われた場合には、一時記録動作を維持しながら、他のチューナを利用して、ユーザによって選局された番組の受信及び表示を行うことが可能となる。
【００６９】
＜第２の実施の形態＞
次に、図５Ａ、図５Ｂ、図６を参照しながら、本発明の第２の実施の形態について説明する。図５Ａは、本発明の第２の実施の形態における各チャンネルの優先度レベルを表すグラフであり、図５Ｂは、本発明の第２の実施の形態における記録再生装置の動作の一例を示すタイミングチャートである。
【００７０】
図５Ａには、図３Ａと同様に、時刻に依存して変動する各チャンネルの優先度レベルの一例が図示されている。なお、図５Ａには、図面の左から右方向に時刻（ｔ）の流れが示されており、図面の上下方向に各チャンネルの優先度レベル（上のほうがより優先度レベルが高い）が示されている。また、図５Ａには、後で詳細に説明する図５Ｂのタイミングチャートと同一の時間帯が図示されており、図５Ｂのタイミングチャートは、この図５Ａに示されている優先度レベルに従って、動作を行うものとする。
【００７１】
図５Ａには、時間の流れに従って、Ｃｈ１、Ｃｈ３、Ｃｈ４、Ｃｈ６、Ｃｈ８の各チャンネルの優先度レベルが変動する様子が図示されている。なお、このチャンネルの優先度レベルの生成方法は、上述の第１の実施の形態と同様に任意である。
【００７２】
一方、図５Ｂには、図１に図示されているように、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図５Ｂには、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ１の一時記録動作：Ｃ１、チューナ２の一時記録動作：Ｃ２、モニタに表示する対象チャンネル（表示状態）：Ｄの各項目が配置されている。
【００７３】
図５Ｂにおいて、記録再生装置は、例えば電源投入時から一時記録機能が動作するように構成されている。すなわち、時刻ｔ１０におけるユーザの操作Ｕ（ｔ１０）＝電源オン（ＰＷ ＯＮ）と同時に、チューナ１及びチューナ２の一時記録動作が始動する。
【００７４】
続いて、ユーザによってチャンネル切り換え要求Ｕ（ｔ１１）＝Ｃｈ８、Ｕ（ｔ１２）＝Ｃｈ６、Ｕ（ｔ１３）＝Ｃｈ１が指示された場合には、記録再生装置は、図５Ａに模式的に図示されているチャンネルの優先度レベル情報を参照して、ユーザによって指示されたチャンネルの優先度レベルが、指示された時点で最優先レベルか否かを確認する。ここでは、Ｕ（ｔ１１）＝Ｃｈ８、Ｕ（ｔ１２）＝Ｃｈ６、Ｕ（ｔ１３）＝Ｃｈ１で指定された各チャンネルはいずれも、その時点で最優先レベルではない（すなわち、更に高優先レベルのチャンネルが存在する）ので、チューナ１がその要求に応じて随時Ｔｕ１（ｔ１１）＝Ｃｈ８、Ｔｕ１（ｔ１２）＝Ｃｈ６、Ｔｕ１（ｔ１３）＝Ｃｈ１のようにチャンネルの切り換えを行う。また、このチューナ１の一時記録の対象チャンネルもユーザのチャンネル切り換え要求に連動して、Ｃ１（ｔ１１）＝Ｃｈ８、Ｃ１（ｔ１２）＝Ｃｈ６、Ｃ１（ｔ１３）＝Ｃｈ１となり、モニタ表示もユーザのチャンネル切り換え要求に追従して、Ｄ（ｔ１１）＝Ｃｈ８、Ｄ（ｔ１２）＝Ｃｈ６、Ｄ（ｔ１３）＝Ｃｈ１となる。
【００７５】
ここで、時刻ｔ１５において、ユーザによるチャンネル切り換え要求Ｕ（ｔ１５）＝Ｃｈ４が行われた場合、図５Ａに示すように現在視聴中のＣｈ１が時刻ｔ１５において最優先レベルなので、チューナ１の選局及びチューナ１の一時記録動作は固定（ロック）され、ユーザによるチャンネル切り換え要求Ｕ（ｔ１５）＝Ｃｈ４に対しては、チューナ２が対応する。その結果、チューナ２の状態はＴｕ２（ｔ１５）＝Ｃｈ４となり、この動作に連動して、Ｃ２（ｔ１５）＝Ｃｈ４、Ｄ（ｔ１５）＝Ｃｈ４となる。
【００７６】
なお、図５Ａに示すように、Ｃｈ１の優先度は、時刻ｔ１４から時刻ｔ１６の時間Ｔで最優先レベルであり、この時間Ｔ内においては視聴中だったＣｈ１は、チューナ１で受信及び一時記録される一方、この時間Ｔの範囲でユーザによってチャンネル切り換え要求が行われた場合には、チューナ２によって対応が行われる。なお、ここまでの動作は、上述の第１の実施の形態と同様である。
【００７７】
また、図５Ａに示すように、時刻ｔ１６から時刻ｔ１８では、優先度レベルはＣｈ６＞Ｃｈ１＞Ｃｈ３＞Ｃｈ４＞Ｃｈ８となり、時刻ｔ１８以降では、優先度レベルはＣｈ６＞Ｃｈ３＞Ｃｈ１＞Ｃｈ４＞Ｃｈ８となる。
【００７８】
例えば、時刻ｔ１６と時刻ｔ１８との間の時刻ｔ１７において、ユーザによってチャンネル切り換え要求Ｕ（ｔ１７）＝Ｃｈ３が指示された場合には、記録再生装置は、図５Ａに模式的に図示されているチャンネルの優先度レベル情報を参照して、チューナ１で選局中のＣｈ１の優先度レベルが最優先ではなくなっていることを把握し、チューナ１で選局中のＣｈ１の優先度レベルと、ユーザによりチャンネル切り換え指示されたＣｈ３の優先度レベルとの比較を行う。
【００７９】
ここでは、優先度レベルはＣｈ１＞Ｃｈ３であり、さらに、一時記録を行っているＣｈ１の番組３が、Ｃｈ１の優先度レベルが最優先だった時間（時刻ｔ１４から時刻ｔ１６までの間）に開始していることから、チューナ１の受信及び一時記録動作は固定され、ユーザによるチャンネル切り換え要求Ｕ（ｔ１７）＝Ｃｈ３に対してチューナ２が用いられる。その結果、チューナ２の状態はＴｕ２（ｔ１７）＝Ｃｈ３となり、この動作に連動して、Ｃ２（ｔ１７）＝Ｃｈ３、Ｄ（ｔ１７）＝Ｃｈ３となる。
【００８０】
一方、例えば、時刻ｔ１８以上の時刻ｔ１９において、ユーザによってチャンネル切り換え要求Ｕ（ｔ１９）＝Ｃｈ６が指示された場合には、記録再生装置は、図５Ａに模式的に図示されているチャンネルの優先度レベル情報を参照して、チャンネル切り換え要求の対象チャンネルであるＣｈ６の優先度レベルが最優先であることを把握し、２つのチューナ１、２で選局中のチャンネルの優先度レベルを比較する。
【００８１】
そして、チューナ１で選局中のＣｈ１の優先度レベルがチューナ２で選局中のＣｈ３よりも低いことを把握して、チューナ１の固定は開放され、チューナ１によって、ユーザによるチャンネル切り換え要求への対応が行われる。すなわち、時刻ｔ１９において、ユーザによってチャンネル切り換え要求Ｕ（ｔ１９）＝Ｃｈ６が行われた場合には、チューナ１がＴｕ１（ｔ１９）＝Ｃｈ６となり、Ｃ１（ｔ１９）＝Ｃｈ６、Ｄ（ｔ１９）＝Ｃｈ６となる。
【００８２】
このように、例えばチューナ１で受信中の番組に関して一時記録動作が行われているときに、その番組のチャンネルよりも優先度レベルの低いチャンネルのチャンネル切り換え要求を受けた場合には、一時記録動作は継続して行われる一方、別のチューナ２によって、チャンネル切り換え要求の対象チャンネルの受信及びモニタ表示が行われるようにする。さらに、例えば一時録画動作の対象番組の番組開始時刻における優先度レベルが最優先の場合には、その一時録画動作が継続して行われるようにする。
【００８３】
また、例えば、複数のチューナ１、２で選局中のチャンネルよりも優先度レベルの高いチャンネルのチャンネル切り換え要求を受けた場合には、チューナ１、２で選局中のチャンネル優先度レベルを比較し、優先度レベルの高いチャンネルのチューナを固定する一方、優先度レベルの低いチャンネルのチューナによって、チャンネル切り換え要求の対象チャンネルの受信及びモニタ表示が行われるようにする。
【００８４】
次に、図６を参照しながら、本発明の第２の実施の形態における記録再生装置で行われる処理について説明する。図６は、本発明の第２の実施の形態における記録再生装置の処理の一例を示すフローチャートである。なお、以下では、説明を簡素化するためにチャンネル切り換え及び一時記録動作に係る処理についてのみ説明する。
【００８５】
図６に示すように、記録再生装置は電源がオンになるとシステムを順次起動する。その一環として、ステップＳ２０１でチューナ１、２を起動し、ステップＳ２０２でチューナ１で選局されている受信データ（番組）の一時記録動作を自動的に開始し、ステップＳ２０３で選局されたチャンネルの番組（あるいは、記録媒体に記録されている映像）をＴＶなどの表示モニタに出力する。
【００８６】
また、記録再生装置は、ステップＳ２０４において、ユーザからのチャンネル切り換え要求の入力をチェックする。ステップＳ２０４でチャンネル切り換え要求が検出されない場合には、ステップＳ２０３に戻って、モニタに映像を表示しながら、チャンネル切り換え要求の入力監視状態となる。一方、ユーザからのチャンネル切り換え要求が検出された場合には、ステップＳ２０５において、このチャンネル切り換え要求をユーザ視聴履歴情報に反映させるように更新処理を行った後、ステップＳ２０６に進む。
【００８７】
ステップＳ２０６では、図５Ａに図示されているようなチャンネルの優先度レベル情報が参照されて、現在視聴中のチャンネル（すなわち、チャンネル切り換え要求前に視聴されていたチャンネル）の優先度レベルが最優先レベルか否かの判断が行われる。
【００８８】
ステップＳ２０６で現在視聴中のチャンネルの優先度レベルが最優先レベルではないと判断された場合には、ステップＳ２１３において、チューナ１で一時記録されている番組の開始時点での優先度レベルが調べられ、この番組の開始時点におけるチャンネルの優先度レベルが最優先であったか否かの判断が行われる。このとき、この番組の開始時点におけるチャンネルの優先度レベルが最優先ではなかった場合には、ステップＳ２０８に進む。
【００８９】
また、ステップＳ２１３で番組の開始時点におけるチャンネルの優先度レベルが最優先だった場合には、ステップＳ２１４において、チューナ１で受信している一時記録中のチャンネルの優先度レベルと、チャンネル切り換え要求チャンネルの対象チャンネルの優先度レベルとの比較が行われる。ここで、一時記録中のチャンネルの優先度レベルが、チャンネル切り換え要求チャンネルの対象チャンネルの優先度レベルよりも高い場合には、ステップＳ２０７に進み、一時記録中のチャンネルの優先度レベルが、チャンネル切り換え要求チャンネルの対象チャンネルの優先度レベルよりも低い場合には、ステップＳ２０８に進む。
【００９０】
一方、ステップＳ２０６で現在視聴中のチャンネルの優先度レベルが最優先レベルであると判断された場合や、一時記録中のチャンネルの優先度レベルがチャンネル切り換え要求チャンネルの対象チャンネルの優先度レベルよりも高いと判断された場合には、ステップＳ２０７において、もう一方のチューナ２の状態のチェックが行われる。ここで、チューナ２が使用中（例えば、チューナ２で受信中の番組が録画中）の場合にはステップＳ２０８に進み、チューナ２が未使用の場合にはステップＳ２１０に進む。
【００９１】
上述の動作でステップＳ２１０に進んだ場合には、ステップＳ２１０において、チューナ２のチャンネルをステップＳ２０４で入力された要求チャンネルに切り換え、ステップＳ２１１においてチューナ２の選局データを表示モニタに出力できるように出力選択スイッチを切り換えるとともに、ステップＳ２１２において、チューナ１の一時記録動作とは別に（チューナ１の一時記録動作を維持したまま）、チューナ２で選局しているデータの一時記録動作を開始する。そして、ステップＳ２０３に戻ってチューナ２で選局された番組を表示モニタに出力し、上述の動作を繰り返す。
【００９２】
一方、上述の動作でステップＳ２０８に進んだ場合には、ステップＳ２０８において、チューナ１のチャンネルを要求チャンネルに切り換え、ステップＳ２０９においてチューナ１の選局データを表示モニタに出力できるように出力選択スイッチを切り換える。そして、ステップＳ２０３に戻ってチューナ２で選局された番組を表示モニタに出力し、上述の動作を繰り返す。
【００９３】
以上、説明したように、本発明の第２の実施の形態によれば、各チャンネルの優先度レベルを定め、この優先度レベルに基づいてユーザが興味を示す可能性の高い番組を予測して、その番組（特に、この番組が視聴中の場合）を自動的に一時記録することが可能となる。さらに、一時記録動作が行われているときにユーザによってチャンネル切り換え要求が行われた場合には、優先度レベルの高いチャンネル（あるいは、番組の開始時における優先度レベルが最優先であった番組のチャンネル）に関して、一時記録動作が優先的に継続されるようにすることが可能となる。
【００９４】
＜第３の実施の形態＞
次に、図７、図８を参照しながら、本発明の第３の実施の形態について説明する。図７は、本発明の第３の実施の形態における記録再生装置の動作の一例を示すタイミングチャートである。
【００９５】
図７には、図１に図示されているように、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図７には、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ１の一時記録動作：Ｃ１、モニタに表示する対象チャンネル（表示状態）：Ｄの各項目が配置されている。また、チューナ２の一時記録動作：Ｃ２に関しては、図示省略する。
【００９６】
図７において、記録再生装置は、例えば電源投入時から一時記録機能が動作するように構成されている。すなわち、時刻ｔ２０におけるユーザの操作Ｕ（ｔ２０）＝電源オン（ＰＷ ＯＮ）と同時に、チューナ１及びチューナ２の一時記録動作が始動する。
【００９７】
続いて行われるユーザによるチャンネル切り換え要求Ｕ（ｔ２１）＝Ｃｈ１、Ｕ（ｔ２２）＝Ｃｈ３、Ｕ（ｔ２３）＝Ｃｈ１に対して、チューナ１は、その要求に応じて随時Ｔｕ１（ｔ２１）＝Ｃｈ１、Ｔｕ１（ｔ２２）＝Ｃｈ３、Ｔｕ１（ｔ２３）＝Ｃｈ１のように、チャンネルの切り換えを行う。また、このチューナ１の一時記録の対象チャンネルもユーザのチャンネル切り換え要求に連動して、Ｃ１（ｔ２１）＝Ｃｈ１、Ｃ１（ｔ２２）＝Ｃｈ３、Ｃ１（ｔ２３）＝Ｃｈ１となり、モニタ表示もユーザのチャンネル切り換え要求に追従して、Ｄ（ｔ２１）＝Ｃｈ１、Ｄ（ｔ２２）＝Ｃｈ３、Ｄ（ｔ２３）＝Ｃｈ１となる。
【００９８】
ここで、例えば、時刻ｔ２４の時点でチューナ１の選局を固定する条件（選局固定条件）が整ったとする。なお、チューナ１の選局を固定する条件としては、例えば、上述の第１及び第２の実施の形態に記載されているようなチャンネルの優先度レベルが最優先の状態になった場合が挙げられるが、ここでは、その他の任意の条件であってもよい。
【００９９】
記録再生装置は、一時記録中のチャンネルの選局固定条件が整った時点で、このチャンネルの番組が最後まで記録されるように、チューナの選局を固定（ロック）する。これにより、チューナ１で受信しているＣｈ１の番組が終了する番組終了時刻（ここでは、時刻ｔ２８とする）まで、例えばユーザによってチャンネル切り換え要求Ｕ（ｔ２５）＝Ｃｈ４、Ｕ（ｔ２６）＝Ｃｈ３、Ｕ（ｔ２７）＝Ｃｈ６が行われた場合には、この要求に対してチューナ２が用いられる。すなわち、Ｔｕ２（ｔ２５）＝Ｃｈ４、Ｔｕ２（ｔ２６）＝Ｃｈ３、Ｔｕ２（ｔ２７）＝Ｃｈ６となり、Ｄ（ｔ２５）＝Ｃｈ４と、Ｄ（ｔ２６）＝Ｃｈ３、Ｄ（ｔ２７）＝Ｃｈ６なる。
【０１００】
また、時刻ｔ２４において選局固定条件が整った際に放送されていたＣｈ１の番組が、時刻ｔ２８において終了した場合には、このチャンネルに係る固定は開放される。その結果、時刻ｔ２９において、ユーザによるチャンネル切り換え要求Ｕ（ｔ２９）＝Ｃｈ８が行われた場合には、チューナ１が利用されてＴｕ１（ｔ２９）＝Ｃｈ８、Ｃ１（ｔ２９）＝Ｃｈ８、Ｄ（ｔ２９）＝Ｃｈ８となる。
【０１０１】
次に、図８を参照しながら、本発明の第３の実施の形態における記録再生装置で行われる処理について説明する。図８は、本発明の第３の実施の形態における記録再生装置の処理の一例を示すフローチャートである。なお、以下では、説明を簡素化するためにチャンネル切り換え及び一時記録動作に係る処理についてのみ説明する。
【０１０２】
図８に示すように、記録再生装置は電源がオンになるとシステムを順次起動する。その一環として、ステップＳ３０１でチューナ１、２を起動し、ステップＳ３０２でチューナ１で選局されている受信データ（番組）の一時記録動作を自動的に開始し、ステップＳ３０３で選局されたチャンネルの番組（あるいは、記録媒体に記録されている映像）をＴＶなどの表示モニタに出力する。
【０１０３】
また、記録再生装置は、ステップＳ３０４において、ユーザからのチャンネル切り換え要求の入力をチェックする。ステップＳ３０４でチャンネル切り換え要求が検出されない場合には、ステップＳ３０３に戻って、モニタに映像を表示しながら、チャンネル切り換え要求の入力監視状態となる。一方、ユーザからのチャンネル切り換え要求が検出された場合には、ステップＳ３１５に進む。
【０１０４】
ステップＳ３１５では、何らかのチューナ選局固定条件が整ったか否かの判断が行われる。本発明の第３の実施の形態では、何らかのチューナ選局固定条件として、例えば上述のように、チューナ１で選局されているチャンネルの優先度レベルが最優先となったか否かを参照することが可能である。
【０１０５】
ステップＳ３１５でチューナ選局固定条件が整ったと判断された場合には、ステップＳ３０７において、もう一方のチューナ２の状態のチェックが行われる。ここで、チューナ２が未使用の場合には、ステップＳ３１０においてチューナ２のチャンネルをステップＳ３０４で入力された要求チャンネルに切り換え、ステップＳ３１１においてチューナ２の選局データを表示モニタに出力できるように出力選択スイッチを切り換えるとともに、ステップＳ３１２において、チューナ１の一時記録動作とは別に（チューナ１の一時記録動作を維持したまま）、チューナ２で選局しているデータの一時記録動作を開始する。
【０１０６】
一方、ステップＳ３１５でチューナ選局固定条件が整っていないと判断された場合や、ステップＳ３０７でチューナ２が使用中（例えば、チューナ２で受信中の番組が録画中）の場合には、ステップＳ３０８において、チューナ１のチャンネルを要求チャンネルに切り換え、ステップＳ３０９においてチューナ１の選局データを表示モニタに出力できるように出力選択スイッチを切り換える。
【０１０７】
上記のステップＳ３０９又はＳ３１２の処理が終了した後、記録再生装置は、ステップＳ３１６において、チューナ１で固定されている選局の解除条件が存在するか否かの判断を行う。ここで、チューナ１で固定されている選局の解除条件が存在しない場合（あるいは、チューナ１が固定されていない場合も含む）には、ステップＳ３０３に戻ってチューナ１又はチューナ２で選局された番組を表示モニタに出力し、上述の動作を繰り返す。
【０１０８】
一方、ステップＳ３１６でチューナ１で固定されている選局の解除条件が存在する場合には、ステップＳ３１７において、固定されているチューナの選局を開放し、ステップＳ３０３に戻ってチューナ１又はチューナ２で選局された番組を表示モニタに出力し、上述の動作を繰り返す。なお、本発明の第３の実施の形態では、チューナの選局を固定した時点で放送されている番組が終了した場合を解除条件とする。
【０１０９】
以上、説明したように、本発明の第３の実施の形態によれば、一時記録動作の対象チャンネルに関してチャンネル選局固定条件を監視し、チャンネル選局固定条件が整った場合には、そのチャンネルを受信しているチューナを固定して一時記録動作が継続されるようにすることが可能となる。また、チューナの固定中はチャンネル選局固定を解除する解除条件を監視し、解除条件が検出された場合には、チューナの固定を開放することが可能となる。
【０１１０】
なお、本発明の第３の実施の形態では、チャンネル選局固定条件としては、例えばチャンネルの優先度レベルが他のチャンネルと比較して最優先となった場合とし、チャンネル選局固定の解除条件としては、チャンネル選局固定条件の検出時に固定対象のチャンネルで放送されていた番組が終了した場合とすることが可能である。
【０１１１】
＜第４の実施の形態＞
次に、図９を参照しながら、本発明の第４の実施の形態について説明する。図９は、本発明の第４の実施の形態における記録再生装置の動作の一例を示すタイミングチャートである。
【０１１２】
図９には、図１に図示されているように、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図９には、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ１の一時記録動作：Ｃ１、モニタに表示する対象チャンネル（表示状態）：Ｄの各項目が配置されている。また、チューナ２の一時記録動作：Ｃ２に関しては、図示省略する。
【０１１３】
図９において、記録再生装置は、例えば電源投入時から一時記録機能が動作するように構成されている。すなわち、時刻ｔ３０におけるユーザの操作Ｕ（ｔ３０）＝電源オン（ＰＷ ＯＮ）と同時に、チューナ１及びチューナ２の一時記録動作が始動する。
【０１１４】
続いて行われるユーザによるチャンネル切り換え要求Ｕ（ｔ３１）＝Ｃｈ１、Ｕ（ｔ３２）＝Ｃｈ３、Ｕ（ｔ３３）＝Ｃｈ１に対して、チューナ１は、その要求に応じて随時Ｔｕ１（ｔ３１）＝Ｃｈ１、Ｔｕ１（ｔ３２）＝Ｃｈ３、Ｔｕ１（ｔ３３）＝Ｃｈ１のように、チャンネルの切り換えを行う。また、このチューナ１の一時記録の対象チャンネルもユーザのチャンネル切り換え要求に連動して、Ｃ１（ｔ３１）＝Ｃｈ１、Ｃ１（ｔ３２）＝Ｃｈ３、Ｃ１（ｔ３３）＝Ｃｈ１となり、モニタ表示もユーザのチャンネル切り換え要求に追従して、Ｄ（ｔ３１）＝Ｃｈ１、Ｄ（ｔ３２）＝Ｃｈ３、Ｄ（ｔ３３）＝Ｃｈ１となる。
【０１１５】
ここで、例えば、時刻ｔ３４の時点でチューナ１の選局を固定する条件（選局固定条件）が整ったとする。なお、チューナ１の選局を固定する条件としては、例えば、上述の第１及び第２の実施の形態に記載されているようなチャンネルの優先度レベルが最優先の状態になった場合が挙げられるが、ここでは、その他の任意の条件であってもよい。
【０１１６】
記録再生装置は、一時記録中のチャンネルの選局固定条件が整った時点で、チューナの選局を所定の時間ＴｃｈＬｏｃｋだけ固定（ロック）する。これにより、時刻ｔ３４の時点から所定の時間ＴｃｈＬｏｃｋ経過したときの時刻ｔ３８まで、例えばユーザによってチャンネル切り換え要求Ｕ（ｔ３５）＝Ｃｈ４、Ｕ（ｔ３６）＝Ｃｈ３、Ｕ（ｔ３７）＝Ｃｈ６が行われた場合には、この要求に対してチューナ２が用いられる。すなわち、Ｔｕ２（ｔ３５）＝Ｃｈ４、Ｔｕ２（ｔ３６）＝Ｃｈ３、Ｔｕ２（ｔ３７）＝Ｃｈ６となり、Ｄ（ｔ３５）＝Ｃｈ４と、Ｄ（ｔ３６）＝Ｃｈ３、Ｄ（ｔ３７）＝Ｃｈ６なる。
【０１１７】
また、時刻ｔ３４から所定の時間ＴｃｈＬｏｃｋ経過し、時刻ｔ３８になった場合には、このチャンネルに係る固定は開放される。その結果、時刻ｔ３９において、ユーザによるチャンネル切り換え要求Ｕ（ｔ３９）＝Ｃｈ８が行われた場合には、チューナ１が利用されてＣ１（ｔ３９）＝Ｃｈ８、Ｄ（ｔ３９）＝Ｃｈ８となる。
【０１１８】
また、本発明の第４の実施の形態における記録再生装置の処理の一例を示すフローチャートは、図８に図示されているフローチャートと同一であり、詳細な説明は省略する。なお、本発明の第４の実施の形態では、チューナ選局固定条件として、例えば上述のように、チューナ１で選局されているチャンネルの優先度レベルが最優先となったか否かが参照され、チューナ選局固定の解除条件としては、チューナ１が固定された時点から所定の時間ＴｃｈＬｏｃｋが経過した場合が用いられる。
【０１１９】
以上、説明したように、本発明の第４の実施の形態によれば、一時記録動作の対象チャンネルに関してチャンネル選局固定条件を監視し、チャンネル選局固定条件が整った場合には、そのチャンネルを受信しているチューナを固定して一時記録動作が継続されるようにすることが可能となる。また、チューナの固定中はチャンネル選局固定を解除する解除条件を監視し、解除条件が検出された場合には、チューナの固定を開放することが可能となる。
【０１２０】
なお、本発明の第４の実施の形態では、チャンネル選局固定条件としては、例えばチャンネルの優先度レベルが他のチャンネルと比較して最優先となった場合とし、チャンネル選局固定の解除条件としては、チューナ選局が固定された時点から所定の時間ＴｃｈＬｏｃｋ経過した場合とすることが可能である。
【０１２１】
＜第５の実施の形態＞
次に、図１０を参照しながら、本発明の第５の実施の形態について説明する。図１０は、本発明の第５の実施の形態における記録再生装置の動作の一例を示すタイミングチャートである。
【０１２２】
図１０には、図１に図示されているように、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図１０には、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ１の一時記録動作：Ｃ１、チューナ２の受信データを所定の録画装置で録画する録画状態：Ｒ２、モニタに表示する対象チャンネル（表示状態）：Ｄの各項目が配置されている。また、チューナ２の一時記録動作：Ｃ２に関しては、図示省略する。
【０１２３】
図１０において、記録再生装置は、例えば電源投入時から一時記録機能が動作するように構成されている。すなわち、時刻ｔ４０におけるユーザの操作Ｕ（ｔ４０）＝電源オン（ＰＷ ＯＮ）と同時に、チューナ１及びチューナ２の一時記録動作が始動する。
【０１２４】
続いて行われるユーザによるチャンネル切り換え要求Ｕ（ｔ４１）＝Ｃｈ１、Ｕ（ｔ４２）＝Ｃｈ３、Ｕ（ｔ４３）＝Ｃｈ１に対して、チューナ１は、その要求に応じて随時Ｔｕ１（ｔ４１）＝Ｃｈ１、Ｔｕ１（ｔ４２）＝Ｃｈ３、Ｔｕ１（ｔ４３）＝Ｃｈ１のように、チャンネルの切り換えを行う。また、このチューナ１の一時記録の対象チャンネルもユーザのチャンネル切り換え要求に連動して、Ｃ１（ｔ４１）＝Ｃｈ１、Ｃ１（ｔ４２）＝Ｃｈ３、Ｃ１（ｔ４３）＝Ｃｈ１となり、モニタ表示もユーザのチャンネル切り換え要求に追従して、Ｄ（ｔ４１）＝Ｃｈ１、Ｄ（ｔ４２）＝Ｃｈ３、Ｄ（ｔ４３）＝Ｃｈ１となる。
【０１２５】
ここで、例えば、時刻ｔ４４の時点でチューナ１の選局を固定する条件（選局固定条件）が整ったとする。なお、チューナ１の選局を固定する条件としては、例えば、上述の第１及び第２の実施の形態に記載されているようなチャンネルの優先度レベルが最優先の状態になった場合が挙げられるが、ここでは、その他の任意の条件であってもよい。
【０１２６】
記録再生装置は、一時記録中のチャンネルの選局固定条件が整った時点で、チューナの選局を固定（ロック）する。これにより、時刻ｔ４４以降においては、例えばユーザによってチャンネル切り換え要求Ｕ（ｔ４５）＝Ｃｈ４、Ｕ（ｔ４６）＝Ｃｈ３、Ｕ（ｔ４７）＝Ｃｈ６が行われた場合には、この要求に対してチューナ２が用いられる。すなわち、Ｔｕ２（ｔ４５）＝Ｃｈ４、Ｔｕ２（ｔ４６）＝Ｃｈ３、Ｔｕ２（ｔ４７）＝Ｃｈ６となり、Ｄ（ｔ４５）＝Ｃｈ４と、Ｄ（ｔ４６）＝Ｃｈ３、Ｄ（ｔ４７）＝Ｃｈ６なる。
【０１２７】
一方、時刻ｔ４８において、ユーザが現在視聴しているＣｈ６を録画する指示を入力したとする（Ｕ（ｔ４８）＝録画）。このとき、録画対象チャンネルを受信しているチューナ２の選局が固定されるとともに、所定の録画装置によってチューナ２の受信データの録画が開始される（Ｒ２（ｔ４８）＝Ｃｈ６）。なお、ここでは、ユーザによって録画指示が入力されるものとしているが、例えば、予約録画が開始された場合も同様である。
【０１２８】
一方、チューナ１に関しては、チューナ２における選局の固定に連動して、チューナ１の選局固定が解除される。その結果、これ以降の時刻ｔ４９において、ユーザによるチャンネル切り換え要求Ｕ（ｔ４９）＝Ｃｈ８が行われた場合には、チューナ１が利用されてＴｕ１（ｔ４９）＝Ｃｈ８、Ｃ１（ｔ４９）＝Ｃｈ８、Ｄ（ｔ４９）＝Ｃｈ８となり、チューナ２を利用した録画が継続される。
【０１２９】
また、本発明の第５の実施の形態における記録再生装置の処理の一例を示すフローチャートは、図８に図示されているフローチャートと同一であり、詳細な説明は省略する。なお、本発明の第５の実施の形態では、チューナ選局固定条件として、例えば上述のように、チューナ１で選局されているチャンネルの優先度レベルが最優先となったか否かが参照され、チューナ選局固定の解除条件としては、別のチューナ２を利用して録画が開始された場合が用いられる。
【０１３０】
以上、説明したように、本発明の第５の実施の形態によれば、一時記録動作の対象チャンネルに関してチャンネル選局固定条件を監視し、チャンネル選局固定条件が整った場合には、そのチャンネルを受信しているチューナを固定して一時記録動作が継続されるようにすることが可能となる。また、チューナの固定中はチャンネル選局固定を解除する解除条件を監視し、解除条件が検出された場合には、チューナの固定を開放することが可能となる。
【０１３１】
なお、本発明の第５の実施の形態では、チャンネル選局固定条件としては、例えばチャンネルの優先度レベルが他のチャンネルと比較して最優先となった場合とし、チャンネル選局固定の解除条件としては、別のチューナ２を利用した録画が開始された場合とすることが可能である。
【０１３２】
なお、上述の各実施の形態におけるフローチャートの各ステップの処理は一例であり、本発明は、上述の各実施の形態におけるフローチャートに係る方法に限定されず、他の方法によって実現されてもよい。また、上述の各実施の形態におけるフローチャートの各ステップの処理は一例であり、図１に図示されている記録処理部４や制御部８、図２に図示されているシステム制御部２２、あるいはその他の任意の機能実現ユニットはプログラムを実行することによって実現可能である。また、上述のように、図１及び図２に図示されている構成は、ハードウェア及び／又はソフトウェアによって実現されるものであり、上述の各実施の形態におけるフローチャートの各ステップの処理は、実行されるハードウェア及び／又はソフトウェアに適した処理に変更されることが望ましい。また、本明細書では、記録再生装置が２つのチューナを有する場合を一例として説明しているが、３つ以上のチューナを有する場合においても本発明は実現可能である。
【産業上の利用可能性】
【０１３３】
本発明の映像データ記録再生制御装置は、ユーザが、何気なく視聴している番組から他の番組へ視聴チャンネルを切り換えた後に、当初何気なく視聴していた番組に視聴チャンネルを戻した際に大切なシーンを見逃してしまっていた場合などにおいて、他の番組の視聴期間であっても、何気なく視聴していた番組を継続してキャッシュ録画することを可能とし、映像データ（特に、ＴＶ放送における放送番組を通じて取得される映像データ）の記録再生技術や複数のチューナを利用したキャッシュ機能に係る技術に適用可能である。
【図面の簡単な説明】
【０１３４】
【図１】本発明の第１〜第５の実施の形態において用いられる記録再生装置の構成の概略を示すブロック図である。
【図２】本発明の第１〜第５の実施の形態において用いられる記録再生装置の記録処理部及び制御部によって実現される機能の一例を示すブロック図である。
【図３Ａ】本発明の第１の実施の形態における各チャンネルの優先度レベルを表すグラフである。
【図３Ｂ】本発明の第１の実施の形態における記録再生装置の動作の一例を示すタイミングチャートである。
【図４】本発明の第１の実施の形態における記録再生装置の処理の一例を示すフローチャートである。
【図５Ａ】本発明の第２の実施の形態における各チャンネルの優先度レベルを表すグラフである。
【図５Ｂ】本発明の第２の実施の形態における記録再生装置の動作の一例を示すタイミングチャートである。
【図６】本発明の第２の実施の形態における記録再生装置の処理の一例を示すフローチャートである。
【図７】本発明の第３の実施の形態における記録再生装置の動作の一例を示すタイミングチャートである。
【図８】本発明の第３〜第５の実施の形態における記録再生装置の処理の一例を示すフローチャートである。
【図９】本発明の第４の実施の形態における記録再生装置の動作の一例を示すタイミングチャートである。
【図１０】本発明の第５の実施の形態における記録再生装置の動作の一例を示すタイミングチャートである。
【図１１】従来の技術に係る動作の第１の例を示すタイミングチャートである。
【図１２】従来の技術に係る動作の第２の例を示すタイミングチャートである。
【図１３】従来の技術に係る動作の第３の例を示すタイミングチャートである。
【符号の説明】
【０１３５】
１  外部機器入力部
２  第１放送受信部（チューナ１）
３  第２放送受信部（チューナ２）
４  記録処理部
５  表示部
６  ユーザ制御部
７  外部機器出力部
８  制御部
９  信号選択部
１０  記録信号処理部
１１  記録制御部
１２  記録媒体管理部
１３、１４  一時記録部
１５  記録媒体
１６  再生制御部
１７  再生信号処理部
１８  表示制御部
１９  ディスプレイ表示処理部
２０  予約録画制御部
２１  システムタイマ部
２２  システム制御部
２３  番組情報抽出／管理部
２４  回線制御部
５０  記録再生装置
【図１】
2007180860.tif 000003
【図２】
2007180860.tif 000004
【図３Ａ】
2007180860.tif 000005
【図３Ｂ】
2007180860.tif 000006
【図４】
2007180860.tif 000007
【図５Ａ】
2007180860.tif 000008
【図５Ｂ】
2007180860.tif 000009
【図６】
2007180860.tif 000010
【図７】
2007180860.tif 000011
【図８】
2007180860.tif 000012
【図９】
2007180860.tif 000013
【図１０】
2007180860.tif 000014
【図１１】
2007180860.tif 000015
【図１２】
2007180860.tif 000016
【図１３】
2007180860.tif 000017